(57)【要約】【課題】ひとつの商品背もたれ板で、袋状の商品、薄い箱物商品及び厚い箱物商品の全てを陳列姿勢よく、安定して陳列できる商品背もたれ板を提供すること。【解決手段】商品を載置する水平部材１と、水平部材１の後端より上方に起立する背もたれ部材２からなる略Ｌ字断面形状の商品背もたれ板１０であって、水平部材１の上面には、商品の前後方向の滑りを防止する商品滑り止め部材１３が配設され、且つ水平部材１は水平部材１の先端を上方に起こすことにより、背もたれ部材２に折り畳まれる折り畳み式である。【選択図】図３
2008061796.tif 000002
【特許請求の範囲】
【請求項１】
商品を載置する水平部材と、該水平部材の後端より上方に起立する背もたれ部材からなる略Ｌ字断面形状の商品背もたれ板であって、該水平部材の上面には、商品の前後方向の滑りを防止する商品滑り止め部材が配設され、且つ該水平部材は該水平部材の先端を上方に起こすことにより、該背もたれ部材に折り畳まれることを特徴とする折り畳み式商品背もたれ板。
【請求項２】
該商品滑り止め部材は、突起部材又は凹状部材であることを特徴とする請求項１記載の折り畳み式商品背もたれ板。
【請求項３】
該水平部材は、該背もたれ部材の下端に軸支により回動自在に付設されることを特徴とする請求項１又は２記載の折り畳み式商品背もたれ板。
【請求項４】
該水平部材の先端には、所定高さの商品滑り防止板が設置されることを特徴とする請求項１〜３のいずれか１項に記載の折り畳み式商品背もたれ板。
【請求項５】
前後方向に延びるレール溝を有する商品仕切り機能をもつ側面板と、該レール溝に前後移動自在に嵌合するガイド部材に固定される請求項１〜４のいずれか１項記載の折り畳み式商品背もたれ板とを備えることを特徴とする商品陳列具。
【請求項６】
前後方向に延びる第１レール溝と該第１レール溝の下方に位置する第２レール溝を有する商品仕切り機能をもつ側面板と、該第１レール溝に前後移動自在に嵌合する操作部材に後方側で固定される常時後方へバネ付勢される後方操作部と、該第２レール溝に前後移動自在に嵌合するガイド部材に固定される該後方操作部の前方に位置する請求項１〜４のいずれか１項記載の折り畳み式商品背もたれ板とを備えることを特徴とする商品陳列具。
【請求項７】
前後方向に延びる第１レール溝と該第１レール溝の下方に位置する第２レール溝を有する商品仕切り機能をもつ側面板と、該第２レール溝に前後移動自在に嵌合する操作部材に後方側で固定される常時後方へバネ付勢される後方操作部と、該第１レール溝に前後移動自在に嵌合するガイド部材に固定される該後方操作部の前方に位置する請求項１〜４のいずれか１項記載の折り畳み式商品背もたれ板とを備えることを特徴とする商品陳列具。
【請求項８】
該ガイド部材と該折り畳み式商品背もたれ板との接合は、該折り畳み式商品背もたれ板の背もたれ部材に該ガイド部材側から左右方向の奥側へくり抜き状に形成された中空部に、該ガイド部材に固定されるパイプ部材が左右方向に移動自在に挿入されたものであることを特徴とする請求項５〜７のいずれか１項記載の商品陳列具。
【請求項９】
該中空部と該パイプ部材は、内部に配設されたスプリングバネにより、縮小自在に固定されていることを特徴とする請求項８記載の商品陳列具。
【請求項１０】
該側面板の前方端から商品載置側に延出する商品転落防止板を、更に備えることを特徴とする請求項６〜９のいずれか１項に記載の商品陳列具。
【請求項１１】
該側面板の下端から商品載置側に延出する底部材を、更に備えることを特徴とする請求項６〜１０のいずれか１項に記載の商品陳列具。
【請求項１２】
２以上を横並びで設置し、一方の側面板と他方の側面板との間で陳列商品を挟んで使用されることを特徴とする請求項６〜１１のいずれか１項に記載の商品陳列具。
【発明の詳細な説明】
【技術分野】
【０００１】
本発明は、スーパーなどで使用される袋状商品や箱型商品など種々の容器形態を有する陳列商品の背もたれとして好適な折り畳み式商品背もたれ体及び商品陳列具に関するものである。
【背景技術】
【０００２】
スーパー等の陳列棚において、陳列された商品は顧客が取り易いように前出しされている。また、その陳列棚に陳列する商品の個数が少ない場合、最後尾の商品の後ろにＬ字断面形状の商品背もたれ板あるいは商品押圧体を設置して、陳列商品全体を前出して、当該陳列棚における適正な前出しを行っている。
【０００３】
一方、ＷＯ２００６/０２７８７２Ａ１公報には、商品を陳列する基板と、該基板に載置され、自然状態において常に前方移動状態にある商品押圧板を備える商品前出し体と、を有し、該商品前出し体の底板の裏面又は該基板の上面のいずれか一方又は両方の滑り手段を付設した商品自動前出し具が開示されている。
【特許文献１】ＷＯ２００６/０２７８７２Ａ１公報（請求項１、図１）
【発明の開示】
【発明が解決しようとする課題】
【０００４】
しかしながら、従来のＬ字断面形状の商品背もたれ板やＷＯ２００６/０２７８７２Ａ１公報記載の商品自動前出し具は、水平基板の上面が平坦なものであると、袋状の商品や薄い箱物商品などは自立できず、全体が後方へ倒伏したような陳列姿勢となり、顧客によい印象を与えない。また、水平基板の上面に前後方向に所定のピッチで滑り止め用の突起が形成されたものであると、厚い箱物商品などは直立姿勢が採れず、同様に顧客によい印象を与えない。これを解決するものとして、平坦な水平基板を有する商品背もたれ板と、前後方向に所定のピッチで滑り止め用の突起が形成された商品背もたれ板の両方を使い分ける方法がある。しかしながら、この方法は異なる商品背もたれ板を準備する必要があり、コストを上昇させると共に、在庫管理が面倒となる。従って、ひとつの商品背もたれ板で、袋状の商品、薄い箱物商品及び厚い箱物商品の全てを陳列姿勢よく、安定して陳列できる商品背もたれ板及び商品押圧体の開示が望まれていた。
【０００５】
一方、従来の商品前出し具は、陳列商品の幅寸法に見合う大きさの商品押圧板が設けられており、幅寸法が更に大きい陳列商品を前出しする場合、それに見合う商品自動前出し具を別途用意する必要があった。この場合、コストを上昇させると共に、在庫管理が面倒となる。従って、１種類の商品前出し具で、種々の幅寸法を有する商品を安定して前出しできる商品前出し具の開示が望まれていた。
【０００６】
また、陳列棚の特定の陳列ラインにおいては、常時、陳列商品を前出しすることよりも、常時、適正な陳列量を補充することに重点をおきたい場合がある。従来の商品前出し具は、常時、陳列商品を前出し状態とするものであり、常時、適正な陳列量を補充する構造を備えるものはなかった。
【０００７】
従って、本発明の目的は、ひとつの商品背もたれ板で、袋状の商品、薄い箱物商品及び厚い箱物商品の全てを陳列姿勢よく、安定して陳列できる商品背もたれ板を提供することにある。また、本発明の他の目的は、該商品背もたれ板を備えるものであって、常時、適正な陳列量を補充することができる商品陳列具を提供することにあり、また、本発明の他の目的は、該商品背もたれ板を備えるものであって、且つ１種類の商品陳列具で、種々の幅寸法を有する商品を安定して前出しできる商品陳列具を提供することにある。
【課題を解決するための手段】
【０００８】
かかる実用において、本発明者らは鋭意検討を行った結果、Ｌ字断面形状の商品背もたれ板であって、水平部材と起立状の背もたれ部材を折り畳み式とすれば、ひとつの商品背もたれ板で、袋状の商品、薄い箱物商品及び厚い箱物商品の全てを陳列姿勢よく、安定して陳列できること、また、外力により幅方向に縮小自在なバネを背もたれ部材に付設した商品陳列具であれば、ひとつの商品陳列具で、種々の幅寸法を有する商品を安定して前出しできることなどを見出し、本発明を完成するに至った。
【０００９】
すなわち、本発明は、商品を載置する水平部材と、該水平部材の後端より上方に起立する背もたれ部材からなる略Ｌ字断面形状の商品背もたれ板であって、該水平部材の上面には、商品の前後方向の滑りを防止する商品滑り止め部材が配設され、且つ該水平部材は該水平部材の先端を上方に起こすことにより、該背もたれ部材に折り畳まれる折り畳み式商品背もたれ板を提供し、また、本発明は、該商品滑り止め部材は、突起部材又は凹状部材である前記折り畳み式商品背もたれ板を提供し、また、本発明は、該水平部材は、該商品背もたれ板の下端に軸支により回動自在に付設される前記折り畳み式商品背もたれ板を提供し、また、本発明は、該水平部材の先端には、所定高さの商品滑り防止板が設置される前記折り畳み式商品背もたれ板を提供し、また、本発明は、前後方向に延びるレール溝を有する商品仕切り機能をもつ側面板と、該レール溝に前後移動自在に嵌合するガイド部材に固定される前記折り畳み式商品背もたれ板とを備える商品陳列具を提供し、また、本発明は、前後方向に延びる第１レール溝と該第１レール溝の下方に位置する第２レール溝を有する商品仕切り機能をもつ側面板と、該第１レール溝に前後移動自在に嵌合する操作部材に後方側で固定される常時後方へバネ付勢される後方操作部と、該第２レール溝に前後移動自在に嵌合するガイド部材に固定される該後方操作部の前方に位置する前記折り畳み式商品背もたれ板とを備える前記商品陳列具を提供し、また、本発明は、前後方向に延びる第１レール溝と該第１レール溝の下方に位置する第２レール溝を有する商品仕切り機能をもつ側面板と、該第２レール溝に前後移動自在に嵌合する操作部材に後方側で固定される常時後方へバネ付勢される後方操作部と、該第１レール溝に前後移動自在に嵌合するガイド部材に固定される該後方操作部の前方に位置する請求項１〜４のいずれか１項記載の折り畳み式商品背もたれ板とを備える商品陳列具を提供し、また、本発明は、該ガイド部材と該折り畳み式商品背もたれ板との接合は、該折り畳み式商品背もたれ板の背もたれ部材に該ガイド部材側から左右方向の奥側へくり抜き状に形成された中空部に、該ガイド部材に固定されるパイプ部材が左右方向に移動自在に挿入されたものである前記商品陳列を提供し、また、本発明は、該中空部と該パイプ部材は内部に配設されたスプリングバネにより、縮小自在に固定されている前記商品陳列具を提供し、また、本発明は、該側面板の前方端から商品載置側に延出する商品転落防止板を、更に備える前記商品陳列具を提供し、また、本発明は、該側面板の下端から商品載置側に延出する底部材を、更に備える前記商品陳列具を提供し、また、本発明は、２以上を横並びで設置し、一方の側面板と他方の側面板との間で陳列商品を挟んで使用される前記商品陳列具を提供するものである。
【発明の効果】
【００１０】
本発明の折り畳み式商品背もたれ板によれば、商品を載置する水平部材を設置面に設置した状態、すなわち、略Ｌ字断面形状の商品背もたれ板として、陳列商品の最後尾に設置すれば、水平部材に載置された商品は、水平部材の商品滑り防止部材により、袋状の商品あるいは薄い箱物商品であっても、起立姿勢よく、安定して陳列できる。また、商品を載置する水平部材を起こして背もたれ部材に折り畳んだ状態、すなわち、略Ｉ字断面形状の商品背もたれ板として、陳列商品の最後尾に設置すれば、陳列商品は平坦状の設置面に載置することになり、商品滑り防止部材などの突起部がないため、厚みのある箱物商品であっても、起立姿勢よく、安定して陳列できる。このため、ひとつの商品背もたれ板で、袋状の商品、薄い箱物商品及び厚い箱物商品の全てを陳列姿勢よく、安定して陳列できる。
【００１１】
また、本発明の商品陳列具は、常時、陳列商品を前出しするものではなく、陳列商品が抜かれて無くなっても、商品背もたれ板は置き去りにされ、その設置位置は変わらない。このため、陳列商品が完全に無くなった場合、商品背もたれ板の前方に商品を補充すれば、その棚板の陳列量は前回と同様にでき、その陳列ライン（縦方向のライン）特有の陳列量を続けて保持することができる。
【００１２】
また、本発明の商品陳列具は、背もたれ部材に形成される中空部とガイド部材が、内部に配設されたスプリングバネのより縮小自在に固定されており、他の商品陳列具の側面板とで商品を挟みこめば、１種類の商品陳列具で、種々の幅寸法を有する商品を安定して前出しできる。
【発明を実施するための最良の形態】
【００１３】
本発明の実施の形態における折り畳み式商品背もたれ板（以下、単に「商品背もたれ板」とも言う。）を図１及び図２を参照して説明する。図１は本例の商品背もたれ板の斜視図、図２は図１の商品背もたれ板を折り畳んだ状態の斜視図である。なお、本明細書中、前後方向及び左右方向は顧客側から見た方向を言う。
【００１４】
商品背もたれ板１０は、不図示の商品を載置する水平部材１と、水平部材１の後端より上方に起立する背もたれ部材２からなる略Ｌ字断面形状であって、水平部材１の上面には、商品の前後方向の滑りを防止する商品滑り止め部材１３、１３が配設され、且つ水平部材１は水平部材１の先端を上方に起こすことにより、背もたれ部材２に折り畳まれるものである。
【００１５】
商品滑り止め部材１３は、本例では左右方向に延出する突起部材が前後に所定間隔離間して２つ形成されたものである。これにより、水平部材上に載置された陳列商品が袋状であったとしても、安定した起立姿勢を採ることができる。なお、商品滑り止め部材１３としては、突起部材に限定されず、例えば左右方向に延出する凹状部材、不連続な突起部材又は不連続な凹状部材が挙げられる。不連続とは規則正しく点在する形態、不規則に点在する形態、又は左右方向あるいは前後方向に断続的に延出する部材が複数個存在する形態などが挙げられる。また、突起部材や凹状部材の設置個数も特に制限去れず、適宜決定される。
【００１６】
また、水平部材１の前端部には、所定高さの板状の商品滑り防止板１２が設置される。板状の商品滑り防止板１２の高さ寸法としては、特に制限されず、商品滑り止め部材１３よりやや大きいことが、水平部材１に載置された数個の袋状商品を起立姿勢で陳列することができる点で好ましい。
【００１７】
水平部材１の後端は、両側が切り欠かれて中央に凸状部１１を形成している。中央の凸状部１１には軸穴（図１では不図示）が形成されており、背もたれ部材２が回動自在で軸支係合する構造になっている。水平部材１の前後方向の長さは、本例では、背もたれ部材２の高さと略同じである。これにより、図２に示すように、折り畳んだ際、水平部材１の商品滑り防止板１２が背もたれ部材２の直上にくるため、折り畳み後であっても背もたれ部が同じ形状となる点で好ましい。なお、水平部材１の前後方向の長さは、図１２のようなものに限定されず、背もたれ部材２の高さよりも短いものであってもよい。この場合、背もたれ部材２には、折り畳んだ際、水平部材１の商品滑り防止板１２を収納できる収納横溝を形成しておくことが、折り畳み後であっても背もたれ部の後方傾斜角度を同じにできる点で好ましい（図１０参照）。
【００１８】
背もたれ部材２は、基部２２と基部２２から上方へ先細りの箱状本体部２１からなり、前面部２３は、やや後方傾斜となっている。これにより、陳列商品は起立姿勢よりやや後方に倒れる状態であり、安定した陳列ができる。また、基部２２は、中央が切り欠かれて両側腕部が軸支部２２１を形成しており、水平部材１が回動自在で軸支係合する構造になっている。背もたれ部材２の形状は、上記形状に限定されず、裏面がくり抜き状の枠体などであってもよい。
【００１９】
水平部材１は、背もたれ部材２の下端に軸支により回動自在に付設される。これにより、図１の略Ｌ字断面形状の商品背もたれ板１０において、水平部材１を上方へ起こして背もたれ部材２に容易に折り畳むことができ、略Ｉ字断面形状の商品背もたれ板を形成することができる。水平部材１と背もたれ部材２の接合手段としては、上記軸支形態に限定されず、接合部分を屈曲性のある樹脂部材として、折り畳み後、水平部材１と背もたれ部材２を係合させるものであってもよい。このような係合手段としては、係合突起と係合凹部などが挙げられる。
【００２０】
商品背もたれ板１０は、陳列棚に陳列された陳列商品の最後尾に設置される。略Ｌ字断面形状の商品背もたれ板１０の場合、水平部材に載置された商品は、商品滑り防止部材１３により、袋状の商品あるいは薄い箱物商品であっても、起立姿勢よく、安定して陳列できる。また、水平部材１を起こして背もたれ部材２に折り畳んだ状態、すなわち、略Ｉ字断面形状の商品背もたれ板１０として、陳列商品の最後尾に設置すれば、陳列商品を平坦状の設置面に載置することになり、厚みのある箱状商品を鉛直姿勢で陳列することができる。
【００２１】
本発明の商品陳列具は、商品背もたれ板１０と、商品背もたれ板１０を前方へ付勢する前出し手段を備える。商品背もたれ板１０を前方へ付勢する前出し手段としては、特に制限されず、バネやゴムなどの弾性部材で前方から引っ張る方法、バネにより後方から押し出す方法、商品仕切り板に付設された操作部材により背もたれ部材２の後方から前方へ外力を与え前出しする方法、あるいは前方下り傾斜の陳列面などが挙げられる。
【００２２】
次ぎに、本発明の好適な商品陳列具を図３〜図１９を参照して説明する。図３は商品背もたれ板を略Ｌ字断面形状として用いる商品陳列具の斜視図、図４〜図７は、薄い箱物商品の陳列方法を説明する図、図８〜図１０は、本例の変形例の商品陳列具の斜視図、図１１は商品背もたれ板を略Ｉ字断面形状として用いる商品陳列具の斜視図、図１２〜図１５は、厚い箱物商品の陳列方法を説明する図、図１６〜図１８は商品背もたれ板の幅調整方法を説明する図、図１９は本例の商品陳列具の使用方法を説明する図をそれぞれ示す。
【００２３】
商品陳列具２０は、板状の底部材３６と、底部材３６の左端より上方へ延びる側面板３と、底部材３６の前方端から上方へ延びる所定の高さを有する板状の商品転落防止板９と、後方操作部５と、商品背もたれ板１０を備えるものである。
【００２４】
側面板３は、商品仕切り機能を有するものであり、且つ前後方向に延びる第１レール溝３１と第１レール溝３１の下方に位置する第２レール溝３２を備える。すなわち、側面板３は所定の厚みと所定の高さを有する長尺の板状物において、上方から下方へ向けて、前後方向に延びる所定幅を有する第１レール溝３１と、第１中間部材３４と、第２レール溝３２と、第２中間部材３５を備えている。これにより、側面板としての強度を保持し、商品仕切り板としての板状形状を維持し、且つ後方操作部５や移動部材７の装着を可能としている。第１レール溝３１及び第２レール溝３２は矩形状の長尺溝の上下縁に、前後方向に所定のピッチで爪部３１１が形成されたものであり、装着される後方操作部５や移動部材７の円滑な滑りと外れ難さの両方を付与している。側面板３の後方部は、内側に屈曲させたバネ部材６を取り付ける後方基部３６を形成している。
【００２５】
後方操作部５は、前方に位置する商品背もたれ板１０を前出しするものであって、本例では上下縁部が後方へ屈曲した略板状物であって、第１レール溝３１に前後移動自在に嵌合する操作部材４に後方側で固定され常時後方へバネ部材６によりバネ付勢されている。これにより、先端の摘み部４１を把持し、操作部４をバネ付勢に抗して手前に引くと、後方操作部５は前方へ移動し、商品背もたれ板１０を前出しする。一方、外力を除くと、バネ付勢により後方操作部５は後方側へ移動する。この時、商品背もたれ板１０は置き去りにされる。
【００２６】
商品背もたれ板１０は、第２レール溝３２に前後移動自在に嵌合する短尺状のガイド部材７に角状のパイプ部材８を介して固定されている。すなわち、図１６に示すように、ガイド部材７と商品背もたれ板１０とは、商品背もたれ板１０の背もたれ部材２１にガイド部材７側から左右方向の奥側へくり抜き状に形成された中空部２４に、ガイド部材７に固定されるパイプ部材８が左右方向に移動自在に挿入され、中空部２４とパイプ部材８は、内部に配設されたスプリングバネ２５により縮小自在に固定されている。すなわち、スプリングバネ２５の一端は中空部２４の底部に、他端はパイプ部材８の底部に固定されており、スプリングバネ２５が最大長となる位置で中空部２４とパイプ部材８は嵌合状態にある（図１６参照）。これにより、商品背もたれ板１０に対し外力を側面板３側へ与えると、バネ付勢に抗して商品背もたれ板１０が側面板３側へ移動することになり、幅寸法Ｗ２は最小となり（図１８参照）、外力を取り去ると、スプリングバネ２５が最大長となり、幅寸法は最大Ｗ１となる（図１６参照）。
【００２７】
商品転落防止板９の下端部は、例えば既設陳列棚のＰＯＳレールに係合する係合凹部が形成されている。これにより、商品陳列具２０の設置が安定し、且つ既設陳列棚の棚面上を左右方向に移動自在となる。
【００２８】
次ぎに、商品陳列具２０を用いた、厚みの薄い箱物商品の陳列方法について、図４〜図７を参照して説明する。この陳列は少量陳列の場合である。また、商品背もたれ板１０は、水平部材１を開いた略Ｌ字断面形状のものとして用いる。当初の陳列は、商品背もたれ板１０を奥にした状態で行なってもよい。これにより商品Ａを並べる作業が行い易くなる。商品の陳列を終えると、前方側にスペースが出来た状態となる（図４参照）。次ぎに、操作部材４を手前に引くことで、後方操作部５はバネ付勢に抗して前方へ移動し、商品背もたれ板１０を連れてくる。これにより、商品Ａは前面に前出しされる（図５参照）。商品Ａを前面に前出しした後は、操作部材４を離して、後方操作部５を後方へ戻すが、商品背もたれ板１０は置き去り状態にある（図６参照）。この状態が、陳列状態である。少量陳列であっても商品Ａは前出しされており、取り出し易くなっている。また、商品Ａは厚みの薄い箱物商品であるものの、商品が載置される水平部材１上及びその先端には、商品滑り防止部材１３や商品滑り防止部材１２が付設されているため、やや後方に傾斜の安定した起立姿勢を保つことができる。商品Ａは袋状商品であってもよい。
【００２９】
図７は陳列商品が完売された状態を示す。この状態において、商品背もたれ板１０は、陳列状態における位置から移動していない。従って、商品背もたれ板１０の前方に新たに商品を補充すれば、前回と同様の陳列量を陳列することができる。万一、商品背もたれ板１０が移動していれば、当初の陳列と同じであり、操作部材４を引くことなどで調整すればよい。
【００３０】
次ぎに、本例の変形例の商品陳列具２０について図８〜図１０を参照して説明する。図８〜図１０において、図３と同一構成要素には同一符号を付してその説明を省略し、異なる点について主に説明する。図８の商品陳列具２０ａにおいて、図３の商品陳列具２０と異なる点は、商品転落防止板９の下端の形状にある。すなわち、商品陳列具２０ａにおいては、商品転落防止板９の下端を底部材３６より更に下方に突出させ、この突出部９２を、例えば既設陳列棚のＰＯＳレールの係合溝に係合させるようにしたものである。
【００３１】
図９の商品陳列具２０ｂおいて、図３の商品陳列具２０と異なる点は、底部材３６を省略した点にある。すなわち、商品陳列具２０ｂは、底部材３６がなくとも、商品転落防止板９の下端の係合部９１を、既設の陳列棚の係合部に係合させれば、設置は安定する。この場合、商品背もたれ板１０は既設の陳列棚の棚面に載置することになる。商品陳列具２０ｂによれば、構成部材を省略することができる。
【００３２】
図１０の商品陳列具２０ｃにおいて、図３の商品陳列具２０と異なる点は、商品背もたれ板１０の水平部材１の形状を変更した点にある。すなわち、商品背もたれ板１０ａにおいて、水平部材１ａは、前後方向の寸法を小さくして、滑り防止部材を先端部のみのものとし、背もたれ部２１のほぼ中央には、先端の滑り防止部材１２ａが係合する係合横溝１０２を形成したものである。商品陳列具２０ｃによれば、更に少量の陳列に好適である。
【００３３】
次ぎに、商品陳列具２０を用いた、厚みのある箱物商品の陳列方法について、図１１〜図１５を参照して説明する。図１１の商品陳列具において、図３の商品陳列具と同一構成要素には同一符号を付してその説明を省略し、異なる点について主に説明する。すなわち、図１１の商品陳列具２０において、図３の商品陳列具と異なる点は、商品背もたれ板１０の水平部材１を上方に起こして背もたれ部２１に折り畳んだ点にある。すなわち、商品背もたれ板１０を略Ｉ字断面形状のものとしたものである。この陳列は同様に少量陳列の場合である。
【００３４】
当初の陳列は、商品背もたれ板１０を奥にした状態で行なってもよい。これにより商品Ｂを並べる作業が行い易くなる。商品の陳列を終えると、前方側にスペースが出来た状態となる（図１２参照）。次ぎに、操作部材４を手前に引くことで、後方操作部５はバネ付勢に抗して前方へ移動し、商品背もたれ板１０を連れてくる。これにより、商品Ｂは前面に前出しされる（図１３参照）。商品Ａを前面に前出しした後は、操作部材４を離して、後方操作部５を後方へ戻すが、商品背もたれ板１０は置き去り状態にある（図１４参照）。この状態が、陳列状態である。少量陳列であっても商品Ｂは前出しされており、取り出し易くなっている。また、商品Ｂは厚みのある箱物商品であるものの、商品が載置される底部材３６は平坦面であるため、前出しの際に障害となるものがなく、また陳列姿勢も鉛直状の安定した起立姿勢を保つことができる。
【００３５】
図１５は陳列商品Ｂが完売された状態を示す。この状態において、商品背もたれ板１０は、陳列状態における位置から移動していない。従って、商品背もたれ板１０の前方に新たに商品を補充すれば、前回と同様の陳列量を陳列することができる。万一、商品背もたれ板１０が移動していれば、当初の陳列と同じであり、操作部材４を引くことなどで調整すればよい。
【００３６】
次ぎに、本発明の商品陳列具２０の幅調整方法について図１６〜図１９を参照して説明する。ガイド部材７と商品背もたれ板１０との接合は、前述の如くである。商品背もたれ板１０の側面板３からの幅寸法は、外力が作用しない自然状態においてスプリングバネ２５が最大長となる位置、すなわち、最大幅Ｗ１を示す位置である。この状態で１個又は２個を横並びで並列使用すれば、幅寸法が大の商品を陳列するのに好適である。また、２個以上の商品陳列具２０を並列で使用し、少し幅を縮小させたい場合、他の商品陳列具２０の側面板３ａを陳列商品に対して内側方向へ押すように設置すればよい（図１７参照）。更に、陳列幅を縮小させたい場合、他の商品陳列具２０の側面板３ａを陳列商品に対して更に内側方向へ押し込めばよい（図１８参照）。本発明の商品陳列具２０は、２個以上を並列に設置し、側面板同士で商品を挟持するように設置すれば、側面板３から商品背もたれ板１０の外側端までの幅寸法を種々変えることができ、多様な陳列形態を実現することができる。
【００３７】
本例の商品陳列具２０は、前記商品背もたれ板１０と同様の効果を奏する他、更に以下の効果を奏する。すなわち、本例の商品陳列具２０は、常時、陳列商品を前出しするものではなく、陳列商品が抜かれて無くなっても、商品背もたれ板は置き去りにされ、その設置位置は変わらない。このため、陳列商品が完全に無くなった場合、商品背もたれ板の前方に商品を補充すれば、その棚板の陳列量は前回と同様にでき、その陳列ライン（縦方向のライン）特有の陳列量を続けて保持することができる。
【００３８】
また、本例の商品陳列具は、背もたれ部材に形成される中空部とガイド部材が、内部に配設されたスプリングバネのより縮小自在に固定されており、他の商品陳列具の側面板とで商品を挟みこめば、１種類の商品陳列具で、種々の幅寸法を有する商品を安定して前出しできる。
【００３９】
本例の商品陳列具２０において、後方操作部５に商品背もたれ板１０と同様の幅調整機能を付与してもよい。すなわち、後方操作部５に操作部材４側から左右方向の奥側へくり抜き状に中空部を形成し、操作部材４に固定されるパイプ部材がこれに左右方向に移動自在に挿入したものである。この場合、同様に、中空部とパイプ部材は、内部に配設されたスプリングバネにより縮小自在に固定される。これにより、商品背もたれ板１０の幅調整と同期させて、後方操作部５も幅調整することができる。
【００４０】
本例の商品陳列具２０において、幅調整機能は任意の構成要素であり、これを省略できる。例えば、図３中、パイプ部材８及び背もたれ部２の中空部２４を省略して、ガイド部材７に背もたれ部２が直接接合する形態（変形例１）のものであってもよい。変形例１によれば、幅調整できない以外は、前記実施の形態例と同様の効果を奏する。また、この変形例１に対して、更に後方操作部５を含む商品背もたれ板１０を前出しする手段を省略してもよい（変形例２）。すなわち、後方操作部５、バネ部材６及び操作部材４を省略することができる。この場合、商品背もたれ板１０は手で前出しすることになる。また、変形例１及び２において、ガイド部材７を前方に延ばして操作部材を形成し、該操作部材を手で引き出すなどしてもよい（変形例３）。これにより、操作部材により商品背もたれ板１０を直接前出しできる。
【００４１】
また、本例の商品陳列具２０において、後方操作部５を含む商品背もたれ板１０を前出しする手段を省略してもよい（変形例４）。すなわち、後方操作部５、バネ部材６及び操作部材４を省略することができる。この場合、幅調整機能を有するものの、商品背もたれ板１０は手で前出しすることになる。
【００４２】
また、本例の商品陳列具２０において、第１レール溝及び第２レール溝に嵌合する部材を逆とすることができる。すなわち、後方操作部は第２レール溝に前後移動自在に嵌合する操作部材に後方側で固定される常時後方へバネ付勢されるものであって、且つ商品背もたれ板は第１レール溝に前後移動自在に嵌合するガイド部材に固定される該後方操作部の前方に位置するものであってもよい。
【図面の簡単な説明】
【００４３】
【図１】本実施の形態例の商品背もたれ板の斜視図。
【図２】図１の商品背もたれ板を折り畳んだ状態の斜視図。
【図３】商品背もたれ板を略Ｌ字断面形状として用いる商品陳列具の斜視図。
【図４】薄い箱物商品の陳列方法を説明する図。
【図５】薄い箱物商品の陳列方法を説明する図。
【図６】薄い箱物商品の陳列方法を説明する図。
【図７】薄い箱物商品の陳列方法を説明する図。
【図８】本実施の形態例の変形例の商品陳列具の斜視図。
【図９】本実施の形態例の他の変形例の商品陳列具の斜視図。
【図１０】本実施の形態例の他の変形例の商品陳列具の斜視図。
【図１１】商品背もたれ板を略Ｉ字断面形状として用いる商品陳列具の斜視図。
【図１２】厚い箱物商品の陳列方法を説明する図。
【図１３】厚い箱物商品の陳列方法を説明する図。
【図１４】厚い箱物商品の陳列方法を説明する図。
【図１５】厚い箱物商品の陳列方法を説明する図。
【図１６】商品背もたれ板の幅調整方法を説明する図。
【図１７】商品背もたれ板の幅調整方法を説明する図。
【図１８】商品背もたれ板の幅調整方法を説明する図。
【図１９】本実施の形態例の商品陳列具の使用方法を説明する図。
【符号の説明】
【００４４】
１        水平部材
２        背もたれ部
３        側面板
４        操作部材
５        後方操作部
６        バネ
７        ガイド部材
８        パイプ部材
９      商品転落防止板
１０、１０ａ    折り畳み式商品背もたれ板
１３    商品滑り止め部材
２０、２０ａ〜２０ｃ    商品陳列具
Ａ      厚みの薄い箱物商品
Ｂ      厚みのある箱物商品
【図１】
2008061796.tif 000003
【図２】
2008061796.tif 000004
【図３】
2008061796.tif 000005
【図４】
2008061796.tif 000006
【図５】
2008061796.tif 000007
【図６】
2008061796.tif 000008
【図７】
2008061796.tif 000009
【図８】
2008061796.tif 000010
【図９】
2008061796.tif 000011
【図１０】
2008061796.tif 000012
【図１１】
2008061796.tif 000013
【図１２】
2008061796.tif 000014
【図１３】
2008061796.tif 000015
【図１４】
2008061796.tif 000016
【図１５】
2008061796.tif 000017
【図１６】
2008061796.tif 000018
【図１７】
2008061796.tif 000019
【図１８】
2008061796.tif 000020
【図１９】
2008061796.tif 000021